(57)【要約】【課題】掻き集め残しを生じることなく機械室床面を清掃することのできる乗客コンベアの清掃装置の提供。【解決手段】乗降口１の下方に設けられた機械室５の床面５ａを清掃する清掃装置であって、機械室５の床面５ａに設置され、踏み段２の方向転換位置の下方に所定の距離を隔てて配置された一対のガイドレール７ａ、７ｂと、ガイドレール７ａ、７ｂに移動自在に係合する対のガイド８ａ、８ｂと、端部９ａ、９ｂがガイド８ａ、８ｂに支持される清掃体９と、この清掃体９に取付けられた可撓性のワイパーブレード１０と、清掃体９に一端が固定された操作ハンドル１１とから構成され、通常時に機械室５の奥に位置させておいた清掃体９を必要時に操作ハンドル１１を介して機械室５の手前へと引き出すことにより床面５ａの清掃を行うようになっている。【選択図】図１
2005330047.tif 000002
【特許請求の範囲】
【請求項１】
無端状に連結され、２箇所の乗降口で方向転換し、かつ両乗降口間を循環走行する複数の踏み段と、これらの踏み段の両側に立設された欄干と、前記踏み段の下方に延設されたオイルパンと、前記乗降口の下方に設けられた機械室とを備えた乗客コンベアにあって、前記機械室の床面を清掃する乗客コンベアの清掃装置において、
前記機械室の床面に設置され、前記踏み段の方向転換位置の下方に所定の距離を隔てて配置された一対のガイドレールと、このガイドレールに移動自在に係合する対のガイドと、端部が前記ガイドに支持される清掃体と、この清掃体に取付けられた可撓性のワイパーブレードと、前記清掃体に一端が固定された操作ハンドルとを備えたことを特徴とする乗客コンベアの清掃装置。
【請求項２】
前記ガイドレールを連結する連結板を設け、この連結板の手前側の連結板に、前記操作ハンドルの位置を規制するハンドルガイドを備えるとともに、前記操作ハンドルは可撓性の金属で形成されることを特徴とする請求項１記載の乗客コンベアの清掃装置。
【発明の詳細な説明】
【技術分野】
【０００１】
本発明は、乗客コンベアの清掃装置に係り、特に、乗降口の下方に設けられた機械室の床面を清掃する乗客コンベアの清掃装置に関する。
【背景技術】
【０００２】
従来、この種のものとして、操作部とブラシ装着部とを一体的に設けるとともに、前記操作部に把手部を備え、この把手部の左右移動に連動してブラシ装着部を移動させ機械室床面に堆積したごみ、塵埃の清掃を行う清掃装置が提案されている（例えば、特許文献１参照）。
【特許文献１】特開平７−２６７５６７号公報（段落番号０００７、図１）
【発明の開示】
【発明が解決しようとする課題】
【０００３】
前述した従来の清掃装置は、ハンドルが取付けられたブラシにより機械室の床面上を旋回移動させて清掃するものであるが、ブラシを踏み段と機械室床面間に挿入する際、機械室床面に堆積したごみ、塵埃を奥の方に押し込んでしまう恐れがあるとともに、ブラシが清掃領域となる平面長方形の機械室床面上を旋回移動することから、中央部の奥に掻き集め残しが生じやすく、全領域の清掃が難しいという問題があった。
【０００４】
本発明は、上述した従来技術における実情からなされたもので、その目的は、掻き集め残しを生じることなく機械室床面を清掃することのできる乗客コンベアの清掃装置を提供することにある。
【課題を解決するための手段】
【０００５】
前記目的を達成するために、本発明は、無端状に連結され、２箇所の乗降口で方向転換し、かつ両乗降口間を循環走行する複数の踏み段と、これらの踏み段の両側に立設された欄干と、前記踏み段の下方に延設されたオイルパンと、前記乗降口の下方に設けられた機械室とを備えた乗客コンベアにあって、前記機械室の床面を清掃する乗客コンベアの清掃装置において、前記機械室の床面に設置され、前記踏み段の方向転換位置の下方に所定の距離を隔てて配置された一対のガイドレールと、このガイドレールに移動自在に係合する対のガイドと、端部が前記ガイドに支持される清掃体と、この清掃体に取付けられた可撓性のワイパーブレードと、前記清掃体に一端が固定された操作ハンドルとを備えた構成としている。
【０００６】
このように構成した本発明は、通常、清掃体を機械室の奥に位置させておき、必要時に操作ハンドルを介して清掃体を機械室の手前へと引き出す。このとき端部がガイドに支持される清掃体はガイドレールに案内され、機械室床に摺接して塵埃を掻き集めつつ機械室手前へと移動する。このように、機械室床面の横幅方向に沿って延設された清掃体を奥から手前へと引き出す作業工程により、平面長方形の清掃領域を有する機械室床面を掻き集め残し無く清掃することができる。
【０００７】
また、請求項２に係る発明は、前記ガイドレールを連結する連結板を設け、この連結板の手前側の連結板に、前記操作ハンドルの位置を規制するハンドルガイドを備えるとともに、前記操作ハンドルは可撓性の金属で形成される構成にしてある。
【０００８】
このように構成した請求項２に係る発明は、操作ハンドルはその他端側、すなわち機械室手前側がハンドルガイドにより位置規制されるとともに、可撓性であることから、機械室奥に位置する清掃体を手前へと移動させる際に、操作ハンドルを上方に持ち上げながら引くことにより、清掃体に対して床面方向に押圧力を付与することができ、これによって、機械室床面にこびりついた塵埃を含め、掻き集め残し無く清掃することができるとともに、操作ハンドルを引く際に踏み段に接触しないかどうかを気にすることなく作業を行なうことができる。
【発明の効果】
【０００９】
本発明は、機械室の奥に位置させておいた清掃体を機械室の手前へと引き出すという簡易な方法で平面長方形の清掃領域を有する機械室床面を掻き集め残し無く清掃することができ、これによって、作業効率を高めて作業時間の短縮を図ることができるとともに、油分を含んだ塵埃が堆積することに伴う不都合、例えば捨てられた煙草から引火する危険などを回避することができる。
【発明を実施するための最良の形態】
【００１０】
以下、本発明に係る乗客コンベアの清掃装置の実施形態を図に基づいて説明する。
【００１１】
図１は本発明の乗客コンベアの清掃装置の一実施形態を示す側面図、図２は図１の清掃装置の平面図、図３は図１の清掃装置の要部を示す縦断面図、図４は図１の清掃装置の斜視図ある。
【００１２】
乗客コンベアは一般に図１に示すように、無端状に連結され、２箇所の乗降口１で方向転換し、かつ両乗降口間を循環走行する複数の踏み段２と、これらの踏み段２の両側に立設された欄干３と、踏み段２の下方に延設されたオイルパン４と、乗降口１の下方に設けられた機械室５とを備えている。
【００１３】
このように構成される乗客コンベアに備えられる清掃装置６は機械室５の床面５ａに設置されるものであって、図２ないし図４に示すように、水平方向に所定の距離を隔てて配置され、連結板７ｃ、７ｄにより互いに連結されるとともに、コの字状の断面形状を有する一対のガイドレール７ａ、７ｂと、ガイドレール７ａ、７ｂに移動自在に係合する対のガイド８ａ、８ｂと、それぞれの端部９ａ、９ｂがガイド８ａ、８ｂに支持される清掃体９と、この清掃体９にビスにより取付けられた可撓性のワイパーブレード１０と、清掃体９に一端が固定された操作ハンドル１１とから構成されている。また、操作ハンドル１１は、手前側の連結板７ｃに備えられ、操作ハンドル１１が挿通されるハンドルガイド１２により位置が規制されるとともに、可撓性の金属で形成される。なお、前述したワイパーブレード１０は、例えば可撓性材料である耐油性ゴムで形成されている。
【００１４】
そして、この清掃装置６は、手前側が突っ張りボルト１３により乗客コンベアのフレーム１４に固定されるとともに、奥側は固定されておらず、本体および連結板７ｄの重量で床面に密着した状態を維持するようになっている。
【００１５】
本実施形態では、通常、清掃体９を機械室５の奥、すなわち奥側の連結板７ｄ側に位置させておき、塵埃が床面５ａに堆積した時期、所定期間毎あるいは点検時に操作ハンドル１１を介して清掃体９を機械室５の手前、すなわち手前側の連結板７ｃ側へと引き出して塵埃１５を掻き集める。このときそれぞれの端部がガイド８ａ、８ｂに支持される清掃体９はガイドレール７ａ、７ｂに案内され、床面５ａに摺接して塵埃１５を掻き集めつつ機械室５手前へと移動する。
【００１６】
本実施形態によれば、機械室５の床面５ａの横幅寸法に対応した清掃体９を奥から手前へと引き出すという簡易な作業工程により、平面長方形の清掃領域を有する床面５ａを掻き集め残し無く清掃することができる。また、操作ハンドル１１はその他端側、すなわち機械室５手前側がハンドルガイド１２により位置規制されるとともに、可撓性であることから、機械室５奥に位置する清掃体９を手前へと移動させる際に、操作ハンドル１１を図示のように上方に持ち上げながら引くことにより、清掃体９に対して床面５ａ方向に押圧力を付与し、床面５ａにこびりついた塵埃１５を含め、掻き集め残し無く清掃することができるとともに、操作ハンドル１１を引く際に踏み段２に接触しないかどうかを気にすることなく作業を行なうことができる。
【００１７】
なお、本実施形態では、清掃装置６は、手前側を突っ張りボルト１３により乗客コンベアのフレーム１４に固定するようにしたが、必要に応じ奥側にも突っ張りボルトを設け、複数箇所でガイドレール７ａ、７ｂを固定するようにしても良い。
【図面の簡単な説明】
【００１８】
【図１】本発明の乗客コンベアの清掃装置の一実施形態を示す側面図である。
【図２】図１の清掃装置の平面図である。
【図３】図１の清掃装置の要部を示す縦断面図である。
【図４】図１の清掃装置の斜視図ある。
【符号の説明】
【００１９】
１            乗降口
２            踏み段
３            欄干
４            オイルパン
５            機械室
５ａ          床面
６            清掃装置
７ａ、７ｂ    ガイドレール
８ａ、８ｂ    ガイド
９            清掃体
１０          ワイパーブレード
１１          操作ハンドル
１２          ハンドレールガイド
【図１】
2005330047.tif 000003
【図２】
2005330047.tif 000004
【図３】
2005330047.tif 000005
【図４】
2005330047.tif 000006